(57)【要約】【課題】  紛失、盗難した場合でも、より確実に所在通知をすることが可能な情報処理装置を提供する。【解決手段】  ＰＣ１０の電源が投入され、システムが起動する際に、ＢＩＯＳメモリ２１３内のプログラムに従って、ＧＰＳ受信回路２１４で取得した位置情報をＬＡＮデバイス２１５よりインターネット１１を介して所有者へ電子メールで通知できるようにする。ＨＤＤ２０２が差替えられてもシステム起動時に所有者へ位置情報を通知することが可能となる。【選択図】      図１
2007094908.tif 000002
【特許請求の範囲】
【請求項１】
ＣＰＵと、このＣＰＵがプログラムを実行する際の作業領域となるメインメモリと、システム起動時に前記メインメモリの容量チェック等を実行するプログラム群を記憶するＢＩＯＳメモリとが実装された基板と、この基板に接続され、システム起動完了後に動作するオペレーティングシステム等を記憶する補助記憶装置と、各種データや設定画面を表示する表示装置と、入力装置とを備えた情報処理装置において、
位置情報を取得する位置情報取得手段と、
前記基板に実装され、前記位置情報を電子メールで送信するときの送信先メールアドレスを記憶する不揮発性メモリと、
通信ネットワークに接続して前記電子メールを送信する通信手段と
を備え、電源が投入されシステムが起動する際に、前記ＢＩＯＳメモリ内に記憶されたプログラムに従って、前記位置情報を含む電子メールを前記送信先メールアドレスに向けて送信することを特徴とする情報処理装置。
【請求項２】
請求項１記載の情報処理装置において、前記送信先メールアドレスを前記不揮発性メモリに記憶させるアドレス登録手段と、そのアドレス登録手段によるアドレス登録手順を認証する認証手段とを備えたことを特徴とする情報処理装置。
【請求項３】
請求項２記載の情報処理装置において、前記認証手段は、前記不揮発性メモリに記憶されたＩＤ情報に基づいて認証することを特徴とする情報処理装置。
【発明の詳細な説明】
【技術分野】
【０００１】
本発明は、紛失又は盗難にあった場合に速やかな回収を可能とする情報処理装置に関するものである。
【背景技術】
【０００２】
携帯型のノートパソコンやモバイルコンピュータ等の情報処理装置は、小型で持ち運び容易な製品であるが、近年は一層の高機能化および高性能化が図られてきている。例えば、この種の情報処理装置は大容量の記憶媒体（例えばＨＤＤ：Ｈａｒｄ  Ｄｉｓｋ  Ｄｒｉｖｅ）を備えるようになってきており、その中には第三者に見られたくない機密情報も多く格納される場合がある。一方、この種の情報処理装置は高価であるが故に、盗難の被害に会う可能性も高く、また、持ち運びの途中で置き忘れ、紛失してしまう事もある。このように情報処理装置が紛失又は盗難にあった場合には、金銭的な損失が大きいばかりでなく、内部に格納された機密情報が外部に漏れるおそれがあるという問題もある。従来、ノートパソコン等の携帯情報処理装置の紛失、盗難防止策は、機器本体に所有者の名前や連絡先を書いたラベルを貼ったり、使用しない時には鍵のかかる場所へ保管したりする程度であった。このため、これらの機器が実際に紛失したり盗難にあったりした場合にはその回収は非常に難しい。また、格納されている情報の機密保持対策としてはパスワードによるガードが一般的であるが、これだけでは不十分であると考えられている。
【０００３】
そのため、電子メール機能を有する情報処理装置に、位置情報を取得するためのＧＰＳ（Ｇｌｏｂａｌ  Ｐｏｓｉｔｉｏｎｉｎｇ  Ｓｙｓｔｅｍ）による位置検出装置を備え、ある電子メールの送信に関連してＧＰＳ位置検出装置より得られた位置情報を含む位置情報報告メールを所定のメールアドレスに送信する情報処理装置が考えられている。（例えば特許文献１参照）
【特許文献１】特開２００３−２３４８２８
【発明の開示】
【発明が解決しようとする課題】
【０００４】
しかしながら、特許文献１の装置では、装置の立上げ後、最初の電子メール送信時に、決められたメールアドレスにＧＰＳで検出された位置情報を送信するため、電子メールを送信するまでの間は位置情報の送信がされない。また、盗難、紛失した装置のＨＤＤ装置が取り外され、入れ替えられてしまった場合にはメールの送信が行われず、その装置の所在を知ることができない。
【０００５】
そこで本発明では、紛失、盗難した場合でも、より確実に所在通知をすることが可能な情報処理装置を提供することを目的とする。
【課題を解決するための手段】
【０００６】
上記目的を達成するために、本発明の情報処理装置は、ＣＰＵと、このＣＰＵがプログラムを実行する際の作業領域となるメインメモリと、システム起動時に前記メインメモリの容量チェック等を実行するプログラム群を記憶するＢＩＯＳメモリとが実装された基板と、この基板に接続され、システム起動完了後に動作するオペレーティングシステム等を記憶する補助記憶装置と、各種データや設定画面を表示する表示装置と、入力装置とを備えた情報処理装置において、位置情報を取得する位置情報取得手段と、前記基板に実装され、前記位置情報を電子メールで送信するときの送信先メールアドレスを記憶する不揮発性メモリと、通信ネットワークに接続して前記電子メールを送信する通信手段とを備え、電源が投入されシステムが起動する際に、前記ＢＩＯＳメモリ内に記憶されたプログラムに従って、前記位置情報を含む電子メールを前記送信先メールアドレスに向けて送信することを特徴とするものである。
【発明の効果】
【０００７】
本発明によれば、紛失、盗難した場合でも、より確実に所在通知をすることが可能な情報処理装置を提供することができる。
【発明を実施するための最良の形態】
【０００８】
以下、本発明の情報処理装置について、図面を参照しながら説明する。
【実施例１】
【０００９】
図１は、本発明の情報処理装置の第１の実施例であるノートＰＣ（Ｐｅｒｓｏｎａｌ  Ｃｏｍｐｕｔｅｒ）１０のシステム構成を示す図である。ノートＰＣ１０は、各種部品が実装される基板２０１と、この基板２０１に接続される補助記憶装置（以下ＨＤＤと言う）２０２と、液晶表示装置（以下ＬＣＤと言う）２０３と、各種データ等を入力する例えばキーボードやマウス等の入力装置２０４と、これらに電源を供給する電源部２０５とから構成されている。
【００１０】
基板２０１には、ＰＣ１０全体の動作の制御を行うＣＰＵ２１０と、不揮発性メモリ２１１と、メインメモリ２１２と、ＢＩＯＳ（Ｂａｓｉｃ  Ｉｎｐｕｔ／Ｏｕｔｐｕｔ  Ｓｙｓｔｅｍ）メモリ２１３と、ＧＰＳアンテナより位置情報を受信するＧＰＳ受信回路２１４と、インターネット１１と電子メールを送受信するためのＬＡＮ（Ｌｏｃａｌ  Ａｒｅａ  Ｎｅｔｗｏｒｋ）デバイス２１５とが実装されている。ＣＰＵ２１０は、ＢＩＯＳメモリ２１３に記憶された各種プログラムを実行したり、ＨＤＤ２０２に記憶されたオペレーティングシステムに従ってＰＣ１０全体の動作を制御するプロセッサである。不揮発性メモリ２１１は、システム起動時にＢＩＯＳ２１３に記憶されたプログラムに従って、ＧＰＳ受信回路で受信した位置情報を電子メールで送信する際の送信先メールアドレスを記憶すると共に、そのメールアドレスの登録時の認証パスワードを記憶している。メインメモリ２１２は、ＨＤＤ２０２に記憶されたオペレーティングシステムやアプリケーションプログラムがシステム起動時に展開されて記憶されるメモリである。ＢＩＯＳメモリ２１３は、電源部２０５によりシステムが起動した際に、接続される各種ハードウエアデバイスの初期化処理、メインメモリ２１２のメモリ容量チェック等を実行する各種プログラムを記憶するメモリである。ＧＰＳ受信回路２１４は、外部に接続されたＧＰＳアンテナ等から取得した経度、緯度情報の位置情報を受信するものである。ＬＡＮデバイス２１５は、インターネット１１へ接続し、電子メールを送受信するデバイスモジュールである。
【００１１】
図２は、ＢＩＯＳメモリ２１３に記憶されているプログラムモジュールを示す図である。ＢＩＯＳプログラム２１３には、メモリチェックプログラム３０１、ロゴ表示プログラム３０２、メール送信プログラム３０３、デバイス初期化プログラム３０４、パスワード認証プログラム３０５、アドレス登録プログラム３０６がそれぞれ記憶されている。メモリチェックプログラム３０１、ロゴ表示プログラム３０２、メール送信プログラム３０３、デバイス初期化プログラム３０４は、電源が投入された際のシステム起動時にＣＰＵ２１０により自動的に実行されるプログラムであり、メモリチェックプログラム３０１は、メインメモリ２１２の容量をチェックするプログラム、ロゴ表示プログラム３０２は、起動中にＬＣＤ２０３にＰＣ１０のメーカー名などの所定のロゴを表示させるプログラム、メール送信プログラム３０３は、不揮発性メモリ２１１に記憶されたメールアドレスに、ＧＰＳ受信回路２１４で取得された位置情報を電子メールで送信するプログラム、デバイス初期化プログラム３０４は、ＨＤＤ２０２、ＬＣＤ２０３、入力装置２０４等のハードウエア機器の初期化を行うプログラムである。パスワード認証プログラム３０５は、不揮発性メモリ２１１に記憶された送信先メールアドレスをユーザが登録或いは更新する際にユーザのパスワード（識別情報）の入力を促し、入力されたパスワードにより認証を行うプログラムである。アドレス登録プログラム３０６は、位置情報の送信先メールアドレスを不揮発性メモリ２１１に登録或いは更新記憶させるプログラムである。
【００１２】
このように構成されたＰＣ１０において、電源スイッチが押され、電源部２０５より電源が供給されると、ＣＰＵ２１０は、ＢＩＯＳメモリ２１３内のメモリチェックプログラム３０１、ロゴ表示プログラム３０２、メール送信プログラム３０３、デバイス初期化プログラム３０４を順次実行した後、ＨＤＤ２０２内に記憶されたオペレーティングシステムおよびアプリケーションプログラム等をメインメモリ２１２に展開記憶させることでシステムの起動が完了する。システム起動完了以降は、ユーザよりの指示に従ってＣＰＵ２１０はメインメモリ２１２に展開されたオペレーティングシステム、アプリケーションプログラムを実行する。
【００１３】
ここで、ＢＩＯＳメモリ２１３内のメール送信プログラムの動作について、図３のフローチャートも用いて説明する。
ユーザよりのシステム起動指示によりＢＩＯＳメモリ内のメール送信プログラムが実行されると、まずＧＰＳ受信回路２１４より位置情報（緯度、経度情報）を取得する（ステップ３０１）。次に不揮発性メモリ２１１より、送信先メールアドレスを取得し（ステップ３０２）、取得した位置情報および送信先メールアドレスより電子メールを作成する(ステップ３０３)。作成された電子メールをＬＡＮデバイス２１５へ出力し（ステップ３０４）、ＬＡＮデバイス２１５からインターネット１１を通じて当該電子メールが送信される。
【００１４】
このように、ユーザよりの起動指示に従って、ＢＩＯＳメモリ内のメール送信プログラムが実行され、予め不揮発性メモリに記憶された送信先メールアドレスに位置情報が電子メールに記載されて送信される。
【００１５】
次に、ＢＩＯＳメモリ内のパスワード認証プログラム３０５、アドレス登録プログラム３０６の動作について図４のＢＩＯＳセットアップ画面および図５のフローチャートを用いて説明する。
【００１６】
図４において、ＢＩＯＳセットアップの画面例を示す図であり、電源投入によるユーザよりのシステム起動指示によりシステム起動中に、所定のキー（例えばＥｓｃキー）が押されると表示される。図４（ａ）では、メモリ容量、システム時刻、メールアドレスの登録有無を示している。メールアドレスは「Ｎｏｔ  Ｒｅｇｉｓｔｅｒｅｄ」と表示され、送信先メールアドレスが不揮発性メモリ２１１に登録されていないことを示している。図４（ｂ）は、送信先メールアドレスとパスワードを不揮発性メモリ２１１に登録する画面であり、アドレス登録プログラム３０６に基づいて、送付先メールアドレスとパスワードの初期登録時にはこの画面よりアドレスとパスワードを登録することができる。図４（ｂ）の登録画面にてアドレスが登録されると、図４（ｃ）のようにメールアドレスの項目が「Ｒｅｇｉｓｔｅｒｅｄ」と表示され、不揮発性メモリ２１１に送信先メールアドレスが登録されたことを確認できる。
【００１７】
次に図５のフローチャートに基づいて、パスワード認証プログラム３０５の動作について説明する。
電源投入によるユーザよりのシステム起動指示によりシステム起動中に、所定のキー（例えばＥｓｃキー）が押され、ＢＩＯＳデータのセットアップ中に、ユーザによるアドレスの登録指示を受け付けると、送信先メールアドレスが不揮発性メモリ２１１に記憶されているかどうかがチェックされる（ステップ５０１）。登録されていなければ、図４（ｂ）の画面よりアドレスとパスワードの初期登録が行われる（ステップ５０２）。既にアドレスが登録されている場合には、パスワードの入力を促し（ステップ５０３）、入力されたパスワードと不揮発性メモリ２１１に記憶されたパスワードとを比較する（ステップ５０４）。パスワードが合致した場合には、送信先メールアドレスの入力を促し（ステップ５０５）、入力されたアドレスを不揮発性メモリ２１１に保存する（ステップ５０６）。ステップ５０４にてパスワードが合致しない場合には処理を終了する。
【００１８】
尚、図５のフローチャートではアドレス更新について説明しているが、パスワードの更新についても同じように、パスワードが不揮発性メモリ２１１に記憶されているかどうかがチェックされ、登録されていなければ、図４（ｂ）の画面よりパスワードの初期登録が行われる。既にパスワードが登録されている場合には、パスワードの入力を促し、入力されたパスワードと不揮発性メモリ２１１に記憶されたパスワードとを比較する（ステップ５０４）。パスワードが合致した場合には、新しいパスワードの入力を促し、入力されたパスワードを不揮発性メモリ２１１に保存する。
【００１９】
このように本実施例によれば、ユーザが電源スイッチによりＰＣ１０の電源投入後、システムの起動時（システム完了前）に、基板に実装されたＢＩＯＳメモリ２１３内のメール送信プログラム３０３により、位置情報を含む電子メールが作成され、その電子メールがＬＡＮデバイス２１５よりインターネット１１を介して送信されるため、例えばＰＣ１０を紛失した場合、或いは盗難された場合でも確実に現品の現在位置情報を所定の所有者のメールアドレス等に送信することができ、例えばＨＤＤ２０２が落下等により破壊されていたり、或いは差替えられたりしていた場合であっても所有者にその所在を通知することが可能となる。
【００２０】
また、不揮発性メモリ２１１に記憶された送信先メールアドレスをパスワード認証により更新するようにしたので、所有者以外の第三者に送信先アドレスが変更されることを防ぐことができる。
【図面の簡単な説明】
【００２１】
【図１】本発明の第１の実施例に係る情報処理装置のシステム構成を示す図である。
【図２】本発明の第１の実施例に係るＢＩＯＳメモリ内のプログラムを示す機能ブロック図である。
【図３】本発明の第１の実施例に係るメール送信プログラムの動作フローチャート図である。
【図４】本発明の第１の実施例に係るＢＩＯＳのセットアップ画面例を示す図である。
【図５】本発明の第１の実施例に係るパスワード認証プログラムの動作フローチャート図である。
【符号の説明】
【００２２】
１０・・・ノートＰＣ
１１・・・インターネット
２０１・・・基板
２０２・・・ＨＤＤ
２０３・・・ＬＣＤ
２０４・・・入力装置
２０５・・・電源部
２１０・・・ＣＰＵ
２１１・・・不揮発性メモリ
２１２・・・メインメモリ
２１３・・・ＢＩＯＳメモリ
２１４・・・ＧＰＳ受信回路
２１５・・・ＬＡＮデバイス
３０３・・・メール送信プログラム
３０５・・・パスワード認証プログラム
３０６・・・アドレス登録プログラム
【図１】
2007094908.tif 000003
【図２】
2007094908.tif 000004
【図３】
2007094908.tif 000005
【図４】
2007094908.tif 000006
【図５】
2007094908.tif 000007